Podtech/llm-jp-corpus-v4-ja_patent huggingface dataset:
【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
γ鎖及びδ鎖を有する腫瘍特異的T細胞受容体（TCR）又はその断片であって、CDR3γとして、アミノ酸配列：
【化１】
2021505190.tif 000001
又はそれと少なくとも88%の同一性を共有している配列を含む又はこれからなる相補性決定領域（CDR）、及び/又はCDR3δとして、アミノ酸配列：
【化２】
2021505190.tif 000002
又はそれと少なくとも88%の同一性を共有している配列を含む又はこれからなるCDRを有することを特徴とする、前記腫瘍特異的T細胞受容体（TCR）又はその断片。
【請求項２】
前記CDRの両方を含む、請求項1記載の腫瘍特異的T細胞受容体（TCR）。
【請求項３】
以下の相補性決定領域：
CDR1γとして、
【化３】
2021505190.tif 000003
CDR2γとして、
【化４】
2021505190.tif 000004
CDR1δとして、
【化５】
2021505190.tif 000005
又はCDR2δとして、
【化６】
2021505190.tif 000006
の、任意の組合わせを含む、1以上を含む、請求項1又は2記載の腫瘍特異的T細胞受容体（TCR）。
【請求項４】
下記アミノ酸配列：
CDR3γとして、
【化７】
2021505190.tif 000007
又はそれと少なくとも88%の同一性を共有している配列；
CDR3δとして、
【化８】
2021505190.tif 000008
又はそれと少なくとも88%の同一性を共有している配列；
CDR1γとして、
【化９】
2021505190.tif 000009
CDR2γとして、
【化１０】
2021505190.tif 000010
CDR1δとして、
【化１１】
2021505190.tif 000011
及びCDR2δとして、
【化１２】
2021505190.tif 000012
を含む又はこれらからなる相補性決定領域（CDR）を有することを特徴とする、請求項1記載の腫瘍特異的T細胞受容体（TCR）又はその断片。
【請求項５】
下記アミノ酸配列：
CDR3γとして、
【化１３】
2021505190.tif 000013
CDR3δとして、
【化１４】
2021505190.tif 000014
CDR1γとして、
【化１５】
2021505190.tif 000015
CDR2γとして、
【化１６】
2021505190.tif 000016
CDR1δとして、
【化１７】
2021505190.tif 000017
及びCDR2δとして、
【化１８】
2021505190.tif 000018
を含む又はこれらからなる相補性決定領域（CDR）を有することを特徴とする、請求項4記載の腫瘍特異的T細胞受容体（TCR）又はその断片。
【請求項６】
下記アミノ酸配列：
【化１９】
2021505190.tif 000019
又はそれと少なくとも88%の同一性を共有するアミノ酸配列を含む又はこれからなるγ鎖を有する、請求項1〜5のいずれか1項記載の腫瘍特異的T細胞受容体（TCR）。
【請求項７】
下記アミノ酸配列：
【化２０】
2021505190.tif 000020
又はそれと少なくとも88%の同一性を共有するアミノ酸配列を含む又はこれからなるδ鎖を有する、請求項1〜6のいずれか1項記載の腫瘍特異的T細胞受容体（TCR）。
【請求項８】
可溶性形態である、請求項1〜7のいずれか1項記載の腫瘍特異的T細胞受容体（TCR）。
【請求項９】
膜適合型形態であり、かつ膜貫通領域及び細胞内領域を有する、請求項1〜7のいずれか1項記載の腫瘍特異的T細胞受容体（TCR）。
【請求項１０】
単鎖形態の、請求項1〜7のいずれか1項記載の腫瘍特異的T細胞受容体（TCR）。
【請求項１１】
SCNN1A遺伝子の発現する状況下で腫瘍特異的なリガンドと結合する、請求項1〜10のいずれか1項記載の腫瘍特異的T細胞受容体（TCR）又はその断片。
【請求項１２】
請求項1〜11のいずれか1項記載のTCRを発現するT細胞又はT細胞クローン。
【請求項１３】
SW.3G1クローンである、請求項12記載のT細胞クローン。
【請求項１４】
請求項1〜11のいずれか1項記載のTCR又はその断片をコードするベクター。
【請求項１５】
請求項1〜11のいずれか1項記載のTCR又はその断片と、キラーT細胞などの免疫細胞と結合し、従ってこれを活性化させる免疫細胞活性化成分又はリガンドとを含む、二重特異性。
【請求項１６】
請求項1〜11のいずれか1項記載のTCR又はその断片、又は請求項12又は13記載の細胞又はクローン、又は請求項14記載のベクターを含む、医薬組成物。 
【請求項１７】
癌の治療のための、請求項1〜11のいずれか1項記載のTCR、又は請求項12又は13記載の細胞又はクローン、又は請求項14記載のベクター、又は請求項15記載の二重特異性、又は請求項16記載の医薬組成物。
【請求項１８】
前記癌が、結腸直腸癌、肺癌、腎癌、前立腺癌、膀胱癌、子宮頚癌、黒色腫（皮膚）、骨癌、乳癌、血液癌、脳癌、膵癌、精巣癌、卵巣癌、頭頚部癌、肝癌、膀胱癌、甲状腺癌、及び子宮癌からなる群から選択される、請求項17記載のTCR、細胞、クローン、ベクター、二重特異性、又は医薬組成物。
【請求項１９】
a) 請求項1〜11のいずれか1項記載のTCR、又は請求項12又は13記載の細胞又はクローン、又は請求項14記載のベクター、又は請求項15記載の二重特異性、又は請求項16記載の医薬組成物を；
b) さらなる癌治療剤と組み合わせて含む、癌の治療のための組合わせ治療薬。
【請求項２０】
図9に示すSCNNA1遺伝子産物のアイソフォームの少なくとも1つと結合する、TCR又はポリペプチド又は二重特異性又は抗体又は該抗体の断片。
【請求項２１】
前記アイソフォームの細胞外ドメインと結合する、請求項20記載のTCR又はポリペプチド又は二重特異性又は抗体又は該抗体の断片。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
単一イオネン単位を含むモノマーであって、前記単一イオネン単位は、分子骨格に沿って配置されたカチオン、および、前記分子骨格と共有結合した疎水性官能基を含み、前記単一イオネン単位が抗菌機能を有する、モノマー。
【請求項２】
単一イオネン単位を含むモノマーであって、前記単一イオネン単位は、分解性分子骨格に沿って配置されたカチオンを含み、前記分解性分子骨格は、テレフタルアミド構造を含み、前記単一イオネン単位が抗菌機能を有する、モノマー。
【請求項３】
前記単一イオネン単位が、前記分解性分子骨格と共有結合した疎水性官能基をさらに含む、請求項２に記載のモノマー。
【請求項４】
前記カチオンが、窒素カチオンおよびリンカチオンからなる群から選択される、請求項１ないし３のいずれかに記載のモノマー。
【請求項５】
前記カチオンが、プロトン化第二級アミンカチオン、プロトン化第三級アミンカチオン、第四級アンモニウムカチオン、およびイミダゾリウムカチオンからなる第２の群から選択される窒素カチオンである、請求項３に記載のモノマー。
【請求項６】
前記疎水性官能基が、ハロゲン化アルキルに由来する、請求項１または３に記載のモノマー。
【請求項７】
前記疎水性官能基が、前記カチオンと共有結合する、請求項６に記載のモノマー。
【請求項８】
前記単一イオネン単位が、構造式：
【化１】
2021505556.tif 000001
により特徴づけられる構造を有し、
式中、Ｒは、前記疎水性官能基を表し、Ｘは、前記カチオンを表し、Ｙは、アルキル基およびアリール基からなる第３の群から選択される連結基を表す、請求項３に記載のモノマー。
【請求項９】
アミンモノマー、およびハロゲン化アルキルである求電子試薬を溶媒中に溶解すること、および、
前記アミンモノマーおよび前記求電子試薬から、モノマーを形成することであって、前記モノマーは、単一イオネン単位を含み、前記単一イオネン単位は分子骨格に沿って配置されたカチオンを含む、モノマーを形成すること
を含む方法であって、
前記単一イオネン単位が抗菌機能を有する、方法。
【請求項１０】
テレフタルアミド構造を含む分解性の分子骨格を含むアミンモノマー、および、求電子試薬を、溶媒中に溶解すること、および、
前記アミンモノマーおよび前記求電子試薬から、モノマーを形成することであって、前記モノマーは単一イオネン単位を含み、前記単一イオネン単位は前記分解性の分子骨格に沿って配置されたカチオンを含む、モノマーを形成すること
を含む方法であって、前記単一イオネン単位が抗菌機能を有する、方法。
【請求項１１】
前記形成することが、アルキル化および四級化からなる群から選択される、カチオンを形成するプロセスを含む、請求項９または１０に記載の方法。
【請求項１２】
前記アミンモノマー、前記求電子試薬、および前記溶媒を、摂氏１５度（℃）以上１５０℃以下の温度で、１２時間以上２４時間以下の所定の時間、撹拌すること
をさらに含む、請求項９または１０に記載の方法。
【請求項１３】
前記単一イオネン単位が、前記分子骨格と共有結合した疎水性官能基をさらに含む、請求項９または１０に記載の方法。
【請求項１４】
前記カチオンが、プロトン化第二級アミンカチオン、プロトン化第三級アミンカチオン、第四級アンモニウムカチオン、およびイミダゾリウムカチオンからなる第２の群から選択される、請求項１１に記載の方法。
【請求項１５】
病原体を死滅させる方法であって、
請求項１ないし８のいずれかに記載のモノマーと、前記病原体とを接触させることを含み、
前記接触させることにより、前記病原体の膜を静電的に破壊する、方法。
【請求項１６】
前記病原体が、グラム陰性微生物、グラム陽性微生物、真菌、および酵母からなる群から選択される、請求項１５に記載の方法。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
(a)哺乳動物においてA群レンサ球菌細菌に対する粘膜の免疫応答を誘発するための;
(b) 哺乳動物においてA群レンサ球菌細菌の感染症に対する粘膜の免疫を誘導するための;
(c) 哺乳動物においてA群レンサ球菌細菌の感染症を処置又は予防するための;
医薬の製造における、
配列番号3の残基13及び17のアミノ酸置換を含む改変されたp145ペプチドアミノ酸配列を含む単離されたタンパク質;又は、配列番号3の残基13及び17の前記置換を含むその免疫原性フラグメント若しくはバリアント;単離されたタンパク質又はそのフラグメント若しくはバリアントに結合するか、又はそれに対して生じる抗体若しくは抗体フラグメント;或いは単離されたタンパク質又はそのフラグメント若しくはバリアントをコードする単離された核酸、の使用であって、
前記単離されたタンパク質又はそのフラグメント若しくはバリアントが、哺乳動物において、A群レンサ球菌細菌の感染症に対する、粘膜の免疫応答を誘発することができる、及び/又は粘膜の免疫を誘導することができる、使用。
【請求項２】
前記医薬が、哺乳動物への鼻腔内、筋肉内及び/又は皮下投与のために製剤化される、請求項1に記載の使用。
【請求項３】
粘膜の免疫又は粘膜の免疫応答が、粘膜IgGの産生により特徴付けられる、請求項1に記載の使用。
【請求項４】
粘膜の免疫又は粘膜の免疫応答が、粘膜IgAが実質的に存在しないこと、又はIgAの産生が少なくとも低減されることにより特徴付けられる、請求項1に記載の使用。
【請求項５】
改変されたp145ペプチドアミノ酸配列、その免疫原性フラグメント又はバリアントが、残基13のアスパラギン(N)アミノ酸及び残基17のアルギニン(R)アミノ酸を含む、請求項1に記載の使用。
【請求項６】
改変されたp145ペプチドアミノ酸配列が、配列番号1に記載される、請求項5に記載の使用。
【請求項７】
免疫原性フラグメントが、配列番号2に記載されるアミノ酸配列を含む、請求項5に記載の使用。
【請求項８】
医薬が、SpyCEPタンパク質の免疫原性フラグメントをさらに含む、請求項1に記載の使用。
【請求項９】
SpyCEPタンパク質の免疫原性フラグメントが、S2ペプチド(配列番号23)若しくはその免疫原性バリアントであるか、又はそれを含み、好ましくは溶解性が増大している、請求項8に記載の使用。
【請求項１０】
免疫原性バリアントが、K4S2ペプチド(配列番号24)である、請求項9に記載の使用。
【請求項１１】
改変されたp145ペプチド、免疫原性バリアント又はフラグメントが、担体タンパク質にコンジュゲート、カップリング、又はそうでなければ結合している、請求項1から10のいずれか一項に記載の使用。
【請求項１２】
担体タンパク質が、ジフテリア毒素、CRMタンパク質又はその免疫原性フラグメントである、請求項11に記載の使用。
【請求項１３】
(a)配列番号3の残基13及び17のアミノ酸置換を含む改変されたp145ペプチドアミノ酸配列を含む単離されたタンパク質、配列番号3の残基13及び17の前記置換を含むその免疫原性フラグメント若しくはバリアント、単離されたタンパク質又はそのフラグメント若しくはバリアントに結合するか、又はそれに対して生じる抗体又は抗体フラグメント、或いは単離されたタンパク質又はそのフラグメント若しくはバリアントをコードする単離された核酸;並びに
(b)SpyCEPタンパク質の免疫原性フラグメント又はその免疫原性バリアント、SpyCEP免疫原性フラグメント若しくはそのバリアントに結合するか、又はそれに対して生じる抗体又は抗体フラグメント、或いはSpyCEP免疫原性フラグメント若しくはそのバリアントをコードする単離された核酸、を含む、組成物。
【請求項１４】
改変されたp145ペプチドアミノ酸配列、その免疫原性フラグメント又はバリアントが、残基13のアスパラギン(N)アミノ酸及び残基17のアルギニン(R)アミノ酸を含む、請求項13に記載の組成物。
【請求項１５】
改変されたp145ペプチドアミノ酸配列が、配列番号1に記載される、請求項14に記載の組成物。
【請求項１６】
改変されたp145ペプチドの免疫原性フラグメントが、配列番号2に記載されるアミノ酸配列を含む、請求項14に記載の組成物。
【請求項１７】
SpyCEPタンパク質の免疫原性フラグメントが、S2ペプチド(配列番号23)若しくはその免疫原性バリアントであるか、又はそれを含み、好ましくは溶解性が増大している、請求項13に記載の組成物。
【請求項１８】
免疫原性バリアントが、K4S2ペプチド(配列番号24)である、請求項17に記載の組成物。
【請求項１９】
アジュバントをさらに含む、請求項13に記載の組成物。
【請求項２０】
鼻腔内投与、筋肉内投与及び/又は皮下投与用に製剤化されている、請求項13に記載の組成物。
【請求項２１】
改変されたp145ペプチド、バリアント又はフラグメントが、担体タンパク質にコンジュゲート、カップリング、又はそうでなければ結合している、請求項13から20のいずれか一項に記載の組成物。
【請求項２２】
担体タンパク質が、ジフテリア毒素、CRMタンパク質又はその免疫原性フラグメントである、請求項21に記載の組成物。
【手続補正書】
【提出日】令和3年5月10日(2021.5.10)
【手続補正１】
【補正対象書類名】特許請求の範囲
【補正対象項目名】全文
【補正方法】変更
【補正の内容】
【特許請求の範囲】
【請求項１】
２５以下のＭＭＳＥスコアを有するヒト対象におけるアルツハイマー病の治療における使用のための；ルテイン、ゼアキサンチン及びメソゼアキサンチンのそれぞれを含む組成物；並びに少なくとも１つのオメガ−３脂肪酸を含む組成物。
【請求項２】
単一組成物が、ルテイン、ゼアキサンチン、メソゼアキサンチンのそれぞれ及び少なくとも１つのオメガ−３脂肪酸を含む、請求項１に記載の使用のための組成物。
【請求項３】
前記少なくとも１つのオメガ−３脂肪酸が、ドコサヘキサエン酸を含む、請求項１又は２に記載の使用のための組成物。
【請求項４】
前記少なくとも１つのオメガ−３脂肪酸が、前記組成物中の魚油構成成分として提供される、請求項１〜３のいずれか一項に記載の使用のための組成物。
【請求項５】
前記少なくとも１つのオメガ−３脂肪酸が、少なくとも２つの脂肪酸を含む、請求項１〜４のいずれか一項に記載の使用のための組成物。
【請求項６】
前記オメガ−３脂肪酸が、ドコサヘキサエン酸及びエイコサペンタエン酸を含む、請求項１〜５のいずれか一項に記載の使用のための組成物。
【請求項７】
前記少なくとも１つのオメガ−３脂肪酸が、遊離酸として、塩として又はトリグリセリドとして提供される、請求項１〜６のいずれか一項に記載の使用のための組成物。
【請求項８】
前記塩が、モノカチオンを含む、請求項７に記載の使用のための組成物。
【請求項９】
前記塩が、金属モノカチオンを含む、請求項８に記載の使用のための組成物。
【請求項１０】
前記組成物が、経口摂取に好適であるように配合され、経口投与される、請求項１〜９のいずれか一項に記載の使用のための組成物。
【請求項１１】
前記組成物が、少なくとも週３回投与される、請求項１〜１０のいずれか一項に記載の使用のための組成物。
【請求項１２】
前記組成物が、１日１回投与される、請求項１〜１１のいずれか一項に記載の使用のための組成物。
【請求項１３】
前記組成物が、単位用量形態である、請求項１〜１２のいずれか一項に記載の使用のための組成物。
【請求項１４】
組成物のそれぞれの単位用量が、１０ｍｇのメソゼアキサンチン、１０ｍｇのルテイン、２ｍｇのゼアキサンチン、及び１ｇｍの魚油を含む、請求項１３に記載の使用のための組成物。
【請求項１５】
組成物のそれぞれの単位用量が、１５ｍｇのメソゼアキサンチン、５ｍｇのルテイン、１ｍｇのゼアキサンチン、及び１ｇｍの魚油を含む、請求項１３に記載の使用のための組成物。
【請求項１６】
前記組成物のそれぞれの単位用量が、２０ｍｇ〜２グラムのドコサヘキサエン酸を含む、請求項１３に記載の使用のための組成物。
【請求項１７】
前記組成物が、以下の１つ以上：酸性度調節剤；固化防止剤、例として、アルミノケイ酸ナトリウム、炭酸カルシウム又はマグネシウム、ケイ酸カルシウム、フェリシアン化ナトリウム又はカリウム；酸化防止剤、例として、ビタミンＥ、ビタミンＣ、及びポリフェノール；着色料、例として、人工着色料、ＦＤ＆Ｃの青色１号、青色２号、緑色３号、赤色４０号、赤色３号、黄色５号及び黄色６号；並びに天然着色料のカラメル、アナトー、コチニール、ベタニン、ターメリック、サフラン、パプリカ；保色剤；乳化剤；フレーバー；フレーバー増強剤；保存剤；安定剤；甘味剤並びに増粘剤をさらに含む、請求項１〜１６のいずれか一項に記載の使用のための組成物。
【請求項１８】
前記組成物が、錠剤又はカプセル剤の形態である、請求項１〜１７のいずれか一項に記載の使用のための組成物。
【請求項１９】
前記対象が、前記組成物を少なくとも６ヵ月の期間にわたり週１回又は１日１回摂取する、請求項１〜１８のいずれか一項に記載の使用のための組成物。
【請求項２０】
前記対象が、前記組成物を少なくとも１２ヵ月の期間にわたり週１回又は１日１回摂取する、請求項１９に記載の使用のための組成物。
【請求項２１】
前記組成物は実質的にルテイン、ゼアキサンチン、メソゼアキサンチン、少なくとも１つのオメガ−３多価不飽和脂肪酸又は対応する塩若しくはトリグリセリド、及び希釈剤、担体又は賦形剤を含む、請求項１〜２０のいずれか一項に記載の使用のための組成物。
【請求項２２】
前記オメガ−３多価不飽和脂肪酸又は対応する塩若しくはトリグリセリドが、ＤＨＡ又はＤＨＡの塩若しくはトリグリセリドである、請求項２１に記載の使用のための組成物。
【請求項２３】
前記組成物はルテイン、ゼアキサンチン、メソゼアキサンチンのそれぞれ並びにＤＨＡ及び／又はＥＰＡを含み、前記組成物は１日１回の経口投与のための単位用量形態で配合され、前記組成物の投与前にアルツハイマー病の１つ以上の症状を既に呈する対象における認識機能障害の進行の予防又は遅延における使用のための、請求項１〜２２のいずれか一項に記載の使用のための組成物。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
被験者の肺の肺胞を振動圧力で刺激して、前記被験者の呼吸メカニクスデータを生成する強制振動技法デバイスと、
前記振動圧力に反応して、前記被験者の肺の少なくともサブセクション内の前記肺胞の暗視野画像データを含む画像データを、格子干渉計を用いて取得する暗視野Ｘ線撮像デバイスと、
前記呼吸メカニクスデータ及び前記画像データに基づいて、肺機能データを生成する計算デバイスと、
を含む、被験者の肺機能を決定するデバイス。
【請求項２】
前記強制振動技法デバイスの振動周波数を変調するコントローラと、
好適には、前記振動周波数と画像取得周波数とが互いに同相であるように、前記振動周波数に基づいて、前記暗視野Ｘ線撮像デバイスの前記画像取得周波数を変調する前記コントローラと同じ又は異なるコントローラと、
を更に含む、請求項１に記載のデバイス。
【請求項３】
前記暗視野Ｘ線撮像デバイスは、最大膨張状態にある前記肺胞の前記少なくともサブセクションの暗視野画像データと、最大収縮状態にある前記肺胞の前記少なくともサブセクションの暗視野画像データとを取得する、請求項１又は２に記載のデバイス。
【請求項４】
前記暗視野Ｘ線撮像デバイスは更に、前記被験者の肺内の前記肺胞の前記少なくともサブセクションの位置に関する情報を含む位置特定データを含む画像データを取得し、好適には、位置特定情報は、前記肺胞の膨張状態又は収縮状態に関する情報と組み合わされる、請求項１から３のいずれか一項に記載のデバイス。
【請求項５】
コントローラは、振動周波数を複数の異なる連続周波数で変調するか、及び／又は、振動周波数をパルスパターンで変調する、請求項２から４のいずれか一項に記載のデバイス。
【請求項６】
前記暗視野Ｘ線撮像デバイスは、２Ｄ暗視野画像データを生成する診断Ｘ線デバイスであるか、又は、３Ｄ画像データを生成する診断画像デバイスである、請求項１から５のいずれか一項に記載のデバイス。
【請求項７】
前記強制振動技法デバイスは、被験者の呼気を直接受け取る非侵襲的デバイスであるか、又は、被験者の気道に挿入される侵襲的デバイスである、請求項１から６のいずれか一項に記載のデバイス。
【請求項８】
前記計算デバイスは、幾つかの振動サイクルにわたる前記画像データ内の個々のピクセル、好適には各ピクセルと、参照波形との相互相関分析に基づいて相互相関画像を生成し、前記参照波形は、前記強制振動技法デバイスのマウスピース内で測定されるか、又は、前記計算デバイスによって生成される、請求項１から７のいずれか一項に記載のデバイス。
【請求項９】
振動周波数で振動圧力を印加して、被験者の肺の肺胞を刺激するステップと、
前記被験者の呼吸メカニクスデータを生成するステップと、
格子干渉計を用いる暗視野Ｘ線撮像デバイスで、前記振動圧力に反応して、前記被験者の肺の前記肺胞の少なくともサブセクションの暗視野Ｘ線画像データを取得するステップと、
前記呼吸メカニクスデータ及び前記暗視野Ｘ線画像データに基づいて肺機能データを計算するステップと、
前記肺機能データをユーザに提供するステップと、
を含む、被験者の肺機能を決定する方法。
【請求項１０】
強制振動技法デバイスを使用して、前記肺胞は刺激され、前記呼吸メカニクスデータが生成される、請求項９に記載の方法。
【請求項１１】
前記暗視野Ｘ線画像データは、最大膨張状態及び最大収縮状態における前記肺胞の前記少なくともサブセクションの画像データ、及び／又は、前記被験者の肺内の前記肺胞の前記少なくともサブセクションの位置に関する情報を含む位置特定データを含む、請求項９又は１０に記載の方法。
【請求項１２】
前記暗視野Ｘ線画像データは、前記振動圧力の前記振動周波数に基づく画像取得周波数で取得され、好適には前記振動周波数及び前記画像取得周波数は互いに同相である、請求項９から１１のいずれか一項に記載の方法。
【請求項１３】
幾つかの振動サイクルにわたる前記暗視野Ｘ線画像データ内の個々のピクセル、好適には各ピクセルと、参照波形との相互相関分析に基づいて、相互相関画像が生成され、前記参照波形は、強制振動技法デバイスのマウスピース内で測定されるか、又は、計算デバイスによって計算される、請求項９から１２のいずれか一項に記載の方法。
【請求項１４】
請求項９から１３のいずれか一項に記載の方法で決定された呼吸メカニクスデータ及び画像データに基づいて、肺機能データを計算するコンピュータプログラム。
【手続補正書】
【提出日】令和3年5月11日(2021.5.11)
【手続補正１】
【補正対象書類名】特許請求の範囲
【補正対象項目名】全文
【補正方法】変更
【補正の内容】
【特許請求の範囲】
【請求項１】
入力ユニットと、処理ユニットと、出力ユニットとを備える、暗視野情報の提示のための装置であって、
前記入力ユニットは、前記処理ユニットに、物体の関心領域のＸ線減衰画像を提供し、
前記入力ユニットは、前記処理ユニットに、前記物体の前記関心領域の暗視野Ｘ線画像を提供し、
前記処理ユニットは、前記関心領域の前記Ｘ線減衰画像に基づいて、又は前記関心領域の前記暗視野Ｘ線画像に基づいて、前記関心領域の複数のサブ領域を定義し、
前記処理ユニットは、前記複数のサブ領域の各々について少なくとも１つの定量値を導出し、前記サブ領域についての前記少なくとも１つの定量値は、前記サブ領域のＸ線減衰画像から導出したデータと、前記サブ領域の前記暗視野Ｘ線画像から導出したデータとを含み、
前記処理ユニットは、前記複数のサブ領域に複数の性能指数を割り当て、前記サブ領域についての前記性能指数は、前記サブ領域についての前記少なくとも１つの定量値に基づき、
前記出力ユニットは、それぞれの前記サブ領域についての前記性能指数と共に前記関心領域を表すデータを出力する、
装置。
【請求項２】
前記サブ領域についての前記少なくとも１つの定量値は、前記サブ領域の前記暗視野Ｘ線画像から導出されたデータに対する、前記サブ領域の前記Ｘ線減衰画像から導出されたデータの正規化を含む、請求項１に記載の装置。
【請求項３】
前記サブ領域についての前記少なくとも１つの定量値の導出は、前記サブ領域の前記暗視野Ｘ線画像から導出されたデータと、前記関心領域の前記Ｘ線減衰画像から導出された前記サブ領域の３Ｄモデルとの結合を含む、請求項１に記載の装置。
【請求項４】
前記サブ領域の前記Ｘ線減衰画像から導出されたデータは、前記サブ領域の少なくとも１つの透過値を含み、前記サブ領域の前記暗視野Ｘ線画像から導出されたデータは、前記サブ領域の少なくとも１つの暗視野値を含む、請求項１から３の何れか一項に記載の装置。
【請求項５】
前記サブ領域の前記Ｘ線減衰画像から導出されたデータは、前記サブ領域の少なくとも１つの透過値の少なくとも１つの対数を含む、請求項４に記載の装置。
【請求項６】
前記サブ領域の前記Ｘ線減衰画像から導出されたデータは、前記サブ領域の第１の位置における透過値の対数を、前記サブ領域の第２の位置における透過値の対数から減算したものを含む、請求項５に記載の装置。
【請求項７】
前記サブ領域の前記暗視野Ｘ線画像から導出されたデータは、前記サブ領域の少なくとも１つの暗視野値の少なくとも１つの対数を含む、請求項４から６の何れか一項に記載の装置。
【請求項８】
前記サブ領域の前記暗視野Ｘ線画像から導出されたデータは、前記サブ領域の第１の位置における暗視野値の対数を、前記サブ領域の第２の位置における暗視野値の対数から減算したものを含む、請求項７に記載の装置。
【請求項９】
前記サブ領域のＸ線減衰画像から導出されたデータは、前記サブ領域の少なくとも２つの透過値から決定されたサブ領域の肺ボリュームを含む、請求項４に記載の装置。
【請求項１０】
前記サブ領域についての少なくとも１つの定量値は複数の定量値であり、前記サブ領域についての性能指数は、前記複数の定量値の均一性の決定を含む、請求項１から９の何れか一項に記載の装置。
【請求項１１】
少なくとも１つの画像取得ユニットと、請求項１から１０の何れか一項に記載の暗視野情報の提示のための装置とを備える、暗視野情報の提示のためのシステムであって、
前記少なくとも１つの画像取得ユニットは、前記Ｘ線減衰画像を提供し、前記暗視野Ｘ線画像を提供し、
前記出力ユニットは、前記Ｘ線減衰画像及び／又は前記暗視野Ｘ線画像を、前記関心領域のそれぞれのサブ領域についての性能指数と共に出力する、
システム。
【請求項１２】
暗視野情報の提示のための方法であって、
ａ）入力ユニットが、物体の関心領域のＸ線減衰画像を提供するステップと、
ｂ）前記入力ユニットが、前記物体の前記関心領域の暗視野Ｘ線画像を提供するステップと、
ｃ）処理ユニットが、前記関心領域の前記Ｘ線減衰画像に基づいて、又は前記関心領域の前記暗視野Ｘ線画像に基づいて、前記関心領域の複数のサブ領域を定義するステップと、
ｄ）前記処理ユニットが、前記複数のサブ領域の各々について少なくとも１つの定量値を導出するステップであって、前記サブ領域についての前記少なくとも１つの定量値は、前記サブ領域の前記Ｘ線減衰画像から導出したデータと、前記サブ領域の前記暗視野Ｘ線画像から導出したデータとを含む、導出するステップと、
ｅ）前記処理ユニットが、前記複数のサブ領域に複数の性能指数を割り当てるステップであって、前記サブ領域についての性能指数は、前記サブ領域についての少なくとも１つの定量値に基づく、割り当てるステップと、
ｆ）出力ユニットが、それぞれのサブ領域についての性能指数と共に前記関心領域を表すデータを出力するステップと、
を有する、方法。
【請求項１３】
ステップｄ）は、前記処理ユニットが、前記サブ領域の前記暗視野Ｘ線画像から導出されたデータに対して、前記サブ領域の前記Ｘ線減衰画像から導出されたデータを正規化するステップを含む、請求項１２に記載の方法。
【請求項１４】
請求項１から１０の何れか一項に記載の装置又は請求項１１に記載のシステムを制御するためのコンピュータプログラムであって、処理ユニットによって実行されると、請求項１２又は１３に記載の方法のステップを実行する、コンピュータプログラム。
【請求項１５】
請求項１４に記載のコンピュータプログラムを記憶したコンピュータ可読媒体。
【手続補正書】
【提出日】令和3年3月22日(2021.3.22)
【手続補正１】
【補正対象書類名】明細書
【補正対象項目名】００３３
【補正方法】変更
【補正の内容】
【００３３】
開口１９に対しては、作業面５における対応する又は位置を揃えられた開口が割り当てられている。
以下、本発明に含まれる態様を記す。
〔態様１〕容器に収められた食品、特には調理済み食品を処理する装置（１）であって、
蒸気を生成する蒸気生成ユニットと、
前記蒸気生成ユニットに蒸気供給ラインを介して蒸気導通可能に接続されており、少なくとも１つの蒸気吐出口を含む蒸気プローブを具備した蒸気送出ユニットと、
前記蒸気送出ユニットを濯ぎ装置（２）、好ましくは鉛直方向に沿って当該蒸気送出ユニット下方に位置した濯ぎ装置（２）に対して変位、特には並進変位させる駆動手段と、
を備え、前記濯ぎ装置（２）は、汚れた濯ぎ水を排出する排水ラインセクション（１３）と流体連通する濯ぎタンク（３）、および食品処理過程後に前記蒸気プローブを濯ぐ濯ぎ水適用手段、特には濯ぎノズル（１８）を有する濯ぎ水適用手段を含む、装置（１）において、
前記排水ラインセクション（１３）には排水ファンネル（１０）が固定されており、当該排水ファンネル（１０）は、清掃及び／又は交換目的のために前記濯ぎタンク（３）から取り外すことが可能、特にはいかなる工具も必要とすることなく、取り外すことが可能であり、かつ、シール手段（１１）で前記濯ぎタンク（３）に対してシールされていることを特徴とする、装置（１）。
〔態様２〕態様１に記載の装置において、前記シール手段（１１）が、前記排水ファンネル（１０）を支持する固定手段、特には形状嵌合及び／又は挟持及び／又はロックによって支持する固定手段、特には単一の固定手段として実現されていることを特徴とする、装置。
〔態様３〕態様２に記載の装置において、前記濯ぎタンク（３）が、前記シール手段（１１）を少なくとも一部実現するエラストマー材料および当該エラストマー材料に比べて高剛性なプラスチック材料を含む多成分プラスチック部品、特には多成分射出成形部品として実現されていることを特徴とする、装置。
〔態様４〕態様１から３のいずれか一態様に記載の装置において、前記排水ファンネル（１０）が、前記濯ぎタンク（３）の下側取付開口に挿入されており、かつ、鉛直方向沿いで前記蒸気送出ユニットの方向に取外し力を加えることで前記濯ぎタンク（３）から取り外すことが可能であるように、前記濯ぎタンク（３）に着脱可能に固定されていることを特徴とする、装置。
〔態様５〕態様１から４のいずれか一態様に記載の装置において、前記排水ラインセクション（１３）が、可撓性の排水ホース、特には前記排水ファンネル（１０）に着脱可能に固定された可撓性の排水ホースとして実現されていることを特徴とする、装置。
〔態様６〕態様１から５のいずれか一態様に記載の装置において、前記排水ラインセクション（１３）が、サイフォンに固定されているかもしくは当該サイフォン内に緩く挿入されているか、または受入容器、好ましくは当該装置（１）の受入容器に繋がっている、好ましくは緩く繋がっていることを特徴とする、装置。
〔態様７〕態様１から６のいずれか一態様に記載の装置において、前記濯ぎタンク（３）が、板状の取付プレートセクション（８）、好ましくは当該濯ぎタンク（３）と一体的に実現された板状の取付プレートセクション（８）により取り囲まれていることを特徴とする、装置。
〔態様８〕態様７に記載の装置において、前記濯ぎタンク（３）は、前記取付プレートセクション（８）に載置された作業面（５）の作業面開口（４）を介してアクセスすることが可能であり、前記取付プレートセクション（８）および／または前記濯ぎタンク（３）は、エラストマーシール、好ましくは当該取付プレートセクション（８）および／または当該濯ぎタンク（３）と一体的に実現されたエラストマーシールにより径方向にシールされている、特には前記作業面の下側に対して且つ／或いは前記作業面開口のエッジに対して径方向にシールされていることを特徴とする、装置。
〔態様９〕態様７または８に記載の装置において、前記取付プレートセクション（８）には前記蒸気送出ユニットに対する支持セクション（７）、好ましくはプラスチックからなる支持セクション（７）が実現されており、前記蒸気送出ユニットは、下方濯ぎ位置にて当該支持セクション（７）上に載置されるものであり、好ましくは、前記支持セクション（７）が、濯ぎタンク上側開口（１５）から径方向に離間しており且つ／或いは前記取付プレートセクション（８）により実現されていることを特徴とする、装置。
〔態様１０〕態様１から９のいずれか一態様に記載の装置において、前記取付プレートセクション（８）には、残留蒸気排出ラインが受け入れられる開口が実現されており、好ましくは、当該開口が、濯ぎタンク上側開口（１５）から径方向に離間しており且つ／或いはエラストマー材料、好ましくは一体的なエラストマー材料により画定されていることを特徴とする、装置。
〔態様１１〕態様１から１０のいずれか一態様に記載の装置において、前記濯ぎタンク（３）には濯ぎノズル取付開口が実現されており、前記蒸気プローブに濯ぎ水スプレー噴射を適用する濯ぎノズル（３）が当該濯ぎノズル取付開口に配置されていることを特徴とする、装置。
【手続補正書】
【提出日】令和3年8月3日(2021.8.3)
【手続補正１】
【補正対象書類名】特許請求の範囲
【補正対象項目名】全文
【補正方法】変更
【補正の内容】
【特許請求の範囲】
【請求項１】
抽出機械内に配置する前に粒子状植物材料の塊の密度を測定するためのシステム又は装置であって、
計量された、又は計量可能な粒子状植物材料の塊を内部に保持するように構成された空所を有する容器、
前記容器の前記空所内に配置された前記粒子状植物材料の塊によって占められた容積を判定するように構成された容積判定手段、及び
前記容器の前記空所内に配置された前記粒子状植物材料の塊を圧縮するように構成された圧縮手段
を有する、システム又は装置。
【請求項２】
前記圧縮手段が、前記容器の前記空所内に配置された前記粒子状植物材料の塊を実質的に均一に圧縮するように構成されている、請求項１に記載のシステム又は装置。
【請求項３】
前記圧縮手段が、前記容器の前記空所内に配置された前記植物材料の塊に接触するように構成された実質的に平坦な圧縮面を有する、請求項１又は２に記載のシステム又は装置。
【請求項４】
前記圧縮手段が、前記容器の前記空所内に配置された前記粒子状植物材料の塊に所定の圧縮力を適用するように構成されている、請求項１から３までのいずれか一項に記載のシステム又は装置。
【請求項５】
前記圧縮手段が、既知の圧縮力に較正されており、且つ、前記容器の前記空所内に配置された前記粒子状植物材料の塊に、使用者によって選択可能な圧縮力を適用することを可能にするように、調節可能に構成されている、請求項４に記載のシステム又は装置。
【請求項６】
前記容器及び／又は前記圧縮手段は、前記容器の前記空所内で圧縮された前記粒子状植物材料の塊によって占められた前記容積を使用者が判定することができるように構成されている、請求項１から５までのいずれか一項に記載のシステム又は装置。
【請求項７】
前記容器及び／又は前記圧縮手段は、前記容器の前記空所内の前記粒子状植物材料の圧縮された塊によって占められた前記容積を使用者が判定することができるように構成された使用者に理解可能な目盛りを有する、請求項６に記載のシステム又は装置。
【請求項８】
前記圧縮手段が、前記容器の縁を、又は前記容器上の印を参照することによって読み取り可能な目盛りを有する、請求項７に記載のシステム又は装置。
【請求項９】
前記容器の前記空所が、前記粒子状植物材料から生成される液体の調製に使用される抽出機械の容器に類似又は実質的に一致した１又は複数の寸法を有する、請求項１から８までのいずれか一項に記載のシステム又は装置。
【請求項１０】
前記空所が、平面図において実質的に円形である、請求項１から９までのいずれか一項に記載のシステム又は装置。
【請求項１１】
前記空所が、前記粒子状植物材料から生成される液体の調製に使用される抽出機械の容器に類似又は実質的に一致した直径である、請求項１０に記載のシステム又は装置。
【請求項１２】
前記空所が、前記粒子状植物材料から生成される液体の調製に使用される抽出機械の容器に類似又は実質的に一致したの深さを少なくとも有する、請求項１から１１までのいずれか一項に記載のシステム又は装置。
【請求項１３】
前記粒子状植物材料が、植物種子から調製される、請求項１から１２までのいずれか一項に記載のシステム又は装置。
【請求項１４】
前記粒子状植物材料が、コーヒー豆から調製される、請求項１から１３までのいずれか一項に記載のシステム又は装置。
【請求項１５】
前記抽出機械の容器が、エスプレッソ・フィルタ・バスケットである、請求項１から１４までのいずれか一項に記載のシステム又は装置。
【請求項１６】
前記容器内に配置された前記粒子状植物材料の塊の重さを量るように構成された計量手段を有する、請求項１から１５までのいずれか一項に記載のシステム又は装置。
【請求項１７】
前記計量手段が、風袋引き機能を有する秤である、請求項１６に記載のシステム又は装置。
【請求項１８】
（ｉ）前記容積判定手段によって提供される容積データ、及び（ｉｉ）前記計量手段によって提供される重量データを入力として受け取り、且つ、（ｉｉｉ）前記容積データ及び前記重量データから計算された密度を出力として提供するように構成された密度計算手段を有する、請求項１６又は１７に記載のシステム又は装置。
【請求項１９】
前記密度計算手段が、プロセッサ使用可能デバイス上で実行可能なアプリケーション・ソフトウェアで具現化される、請求項１８に記載のシステム又は装置。
【請求項２０】
前記プロセッサ使用可能デバイスが、モバイル・デバイスである、請求項１９に記載のシステム又は装置。
【請求項２１】
前記粒子状植物材料の塊が、植物材料を挽くことによって調製される、請求項１から２０までのいずれか一項に記載のシステム又は装置。
【請求項２２】
前記挽いた粒子状材料が、加水を含んでいてもよく、又は加水を含んでいなくてもよい、請求項１から２１までのいずれか一項に記載のシステム又は装置。
【請求項２３】
粒子状植物材料の塊の密度を判定するために使用されるとき、前記圧縮手段による圧縮を伴う、又は伴わない、請求項１から２２までのいずれか一項に記載のシステム又は装置。
【請求項２４】
前記粒子状植物材料の塊がコーヒーであり、前記システム又は装置が、挽いていない豆、生豆、煎り豆、又は挽いた豆のうちの１以上の密度を判定するために使用される、請求項２３に記載のシステム又は装置。
【請求項２５】
前記挽いていない豆の密度が、加水ありで、及び／又は加水なしで判定される、請求項２４に記載のシステム又は装置。
【請求項２６】
使用時の圧縮の程度が、粒子状植物材料の塊から生成される液体の調製に使用される粒子状植物材料の塊に適用される圧縮の程度に類似又は実質的に一致する、請求項２３、２４又は２５に記載のシステム又は装置。
【請求項２７】
粒子状植物材料の塊を抽出機械内に配置する前に前記粒子状植物材料の塊の密度を判定するための方法であって、
前記粒子状植物材料の塊の重量を測定するステップ、
前記粒子状植物材料の塊の容積を測定するステップ、及び、
請求項１から２２までのいずれか一項に規定された前記容器の前記空所内に所定の量の粒子状植物材料を配置することによって、前記粒子状植物材料の塊の前記密度を計算するステップ
を含む、方法。
【請求項２８】
前記植物材料の前記容積を測定する前に前記圧縮手段を使用して前記粒子状植物材料の塊を圧縮するステップを含む、請求項２７に記載の方法。
【請求項２９】
得られる挽砕物の粗さ又は細かさに関して植物材料グラインダを設定するための方法であって、
植物材料を提供するステップ、
粒子状植物材料の試験バッチを提供するように挽き設定を使用して前記植物材料を挽くステップ、
請求項１から２２までのいずれか一項に記載のシステム又は装置により、又は、請求項２７又は２８に記載の方法により、前記粒子状植物材料の試験バッチの密度を評価するステップ、及び、
前記粒子状植物材料の目標密度を提供するために、必要であれば前記グラインダ設定を調節するステップ
を含む、方法。
【請求項３０】
前記グラインダが、小売環境又は家庭内環境において使用されるタイプのコーヒー豆グラインダである、請求項２９に記載の方法。
【手続補正書】
【提出日】令和3年10月8日(2021.10.8)
【手続補正１】
【補正対象書類名】明細書
【補正対象項目名】０００７
【補正方法】変更
【補正の内容】
【０００７】
少なくとも約４８時間、少なくとも約３日、少なくとも約４日、少なくとも約５日、少なくとも約６日、少なくとも約７日または少なくとも約８日にわたって胃の中に治療薬または診断薬および／または電子デバイスを保持する能力を有する胃滞留性製品が望ましい。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２０１５／３４２８７７号明細書
（特許文献２）  国際公開第２０１８／１０２７９９号
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
薬剤送達デバイスを画定するために駆動モジュールに取り外し可能に取り付けるための薬剤カセットにおいて、
前記駆動モジュールに取り付けられ且つ前記駆動モジュールから取り外されるように構成されたカセットハウジングと、
薬剤を保持し且つ出口を画定する容器本体と、
前記容器本体内に配置されたピストンと、
前記ピストンを前進させるように前記容器本体内に配置された駆動リボンであって、前記駆動リボンは遠位縁部分および近位縁部分を含み、前記駆動リボンは駆動軸の周りで格納構成と拡張構成との間で漸進的に移動可能であり、前記格納構成における前記駆動リボンの格納された部分がスパイラルを画定し、前記拡張構成における前記駆動リボンの拡張された部分がヘリックスを画定する、前記駆動リボンと、
前記駆動リボンと係合する駆動部材であって、前記駆動部材の回転に応答して、前記駆動リボンが軸方向に拡張され、前記ピストンが前記容器本体内で前進し、前記出口を介して前記薬剤を放出する、前記駆動部材と
を備える前記薬剤カセット。
【請求項２】
前記駆動部材が、ギア付き要素を備える、請求項１に記載のカセット。
【請求項３】
さらに、前記駆動リボンと係合される回転拘束部材を備え、
前記回転拘束部材および前記駆動リボンの前記拡張された部分の一方が、軸方向に延びるキーを画定し、前記回転拘束部材および前記駆動リボンの前記拡張された部分の他方が、前記キーを収容するために軸方向に延びるキー溝を画定し、前記回転拘束部材が、前記回転拘束部材が前記駆動リボンと係合されて回転を防止する係合位置において前記駆動リボンの半径方向外側に配置される、請求項１に記載のカセット。
【請求項４】
さらに、前記駆動リボンと係合される回転拘束部材を備え、
前記回転拘束部材および前記駆動リボンの拡張された部分の一方が、軸方向に延びるキーを画定し、前記回転拘束部材および前記駆動リボンの拡張された部分の他方が、前記キーを収容するために軸方向に延びるキー溝を画定し、前記回転拘束部材が、前記回転拘束部材が前記駆動リボンと係合されて回転を防止する係合位置において前記駆動リボンの半径方向内側に配置される、請求項１に記載のカセット。
【請求項５】
前記駆動部材が、前記駆動リボンと係合する螺旋内ねじを備える、請求項２に記載のカセット。
【請求項６】
さらに、前記カセットハウジングが前記駆動モジュールに取り付けられ且つ前記駆動モジュールから取り外されることを可能にするように構成されたラッチ係合要素を備える、請求項１に記載のカセット。
【請求項７】
さらに、前記カセットハウジングを前記駆動モジュールに固定的に結合するための取り付け特徴を備える、請求項１に記載のカセット。
【請求項８】
さらに、前記駆動リボンの遠位端に直接固定された軸受部材を備え、
前記軸受部材が前記ピストンと係合している、請求項１に記載のカセット。
【請求項９】
前記駆動リボンの半径方向外向き表面が複数の規則的に離間した表面突起を備え、前記表面突起のそれぞれが第１および第２の溝を交差することによって境界付けられ、前記駆動リボンが軸方向に拡張されると、前記第１の溝が螺旋状に拡張され、前記第２の溝が軸方向に拡張される、請求項１に記載のカセット。
【請求項１０】
前記駆動部材が、前記駆動リボンの前記第１の溝の１つと係合する螺旋ねじを備え、前記カセットハウジングが、前記駆動リボンの前記第２の溝と係合する複数の軸方向リブを含む、請求項９に記載のカセット。
【請求項１１】
前記遠位縁部分および前記近位縁部分の一方が複数の縁突起を画定し、前記遠位縁部分および前記近位縁部分の他方が、前記駆動リボンが前記拡張構成にあるときにインターロック方式で対応する縁突起を受容するように構成された複数の開口部を画定する、請求項１に記載のカセット。
【請求項１２】
前記駆動リボンが、前記駆動リボンの内向き表面上に一連の隆起リブを備える、請求項１に記載のカセット。
【請求項１３】
前記駆動部材の回転に応答して、前記駆動リボンが、前記容器本体に対していかなる回転もなく、前記格納構成と拡張構成との間で移動可能である、請求項１−１２のいずれかに記載のカセット。
【請求項１４】
薬剤送達デバイスにおいて、
請求項１３に記載のカセットと、
モジュールハウジングと、その中に配置され且つ前記カセットの前記駆動部材を回転させるように構成された駆動機構とを有する駆動モジュールとを備える、薬剤送達デバイス。
【請求項１５】
前記駆動機構が、駆動ギアと、前記駆動ギアと駆動結合された電気モータとを備え、
前記駆動ギアが、前記カセットが前記モジュールハウジングに取り付けられたときに前記駆動部材と動作可能に係合され、前記電気モータが、前記駆動リボンを前記格納構成から前記拡張構成に移動させるように前記駆動ギアおよび前記駆動部材を介して前記駆動リボンに伝達される力を発生させるように構成されている、請求項１４に記載のデバイス。
【請求項１６】
前記モジュールハウジングが、複数のカセットのいずれかを収容するように適合され、前記カセットのそれぞれが、前記モジュールハウジングに交換可能に且つ取り外し可能に固定可能である、請求項１５に記載のデバイス。
【請求項１７】
前記モジュールハウジングが電子モジュールを備え、
前記カセットが、さらに、デジタルメモリデバイスを備え、前記電子モジュールが、前記モジュールハウジングと結合されると、前記カセットの前記デジタルメモリデバイスと通信し、注入手順を完了した後、前記電子モジュールが、前記注入手順に関連するデータを前記デジタルメモリデバイスに記録するように構成されている、請求項１６に記載のデバイス。
【請求項１８】
前記電子モジュールが、薬剤の種類、薬剤の元の量、前記駆動リボンの角度位置、前記駆動リボンの軸方向位置、前記駆動リボンの拡張および／または格納の速度、および前記駆動リボンの停止のうちの少なくとも１つを判定するために、または前記駆動リボンの動きを制御するために、前記カセットの前記駆動リボンによって画定された符号化パターンを検出するように構成されたエンコーダセンサと通信している、請求項１７に記載のデバイス。
【請求項１９】
前記駆動リボンが、前記駆動リボンに沿って所定の間隔で配置された複数のセンサターゲットを備え、前記モジュールハウジングまたは前記カセットが、さらに、前記電子モジュールと通信し且つ前記センサターゲットを検知するように適合されたセンサを備え、それにより、前記駆動リボンが拡張されたときに前記センサを通過する前記センサターゲットの動きを検知することが、前記注入手順に関連するデータを検出するために使用される、請求項１７に記載のデバイス。
【請求項２０】
前記駆動機構がばねを備え、投与量の設定に応答して、前記ばねが張力構成にあり、前記張力構成からの前記ばねの解放に応答して、前記ばねが、前記駆動リボンを前記格納構成から前記拡張構成に移動させるために伝達可能な力を生成するように動作可能である、請求項１４に記載のデバイス。
【手続補正書】
【提出日】令和3年10月13日(2021.10.13)
【手続補正１】
【補正対象書類名】特許請求の範囲
【補正対象項目名】全文
【補正方法】変更
【補正の内容】
【特許請求の範囲】
【請求項１】
血栓を除去するためのシステムであって、
血管内の血栓に近接または隣接して配置されるように構成された介入要素と、
前記介入要素と電気的に連通している電流発生器であって、電気信号を前記介入要素に所定の期間供給するように構成された電流発生器と、を備え、
前記所定の期間にわたって前記電気信号を介して供給される総エネルギーが、０．７５〜２４，０００ｍＪであり、
前記電気信号を介して供給されるピーク電流が０．５〜５ｍＡである、システム。
【請求項２】
前記電流発生器が、電源と、メモリに結合されたプロセッサとを備え、前記メモリが、前記電源に前記介入要素へと前記電気信号を供給させるための命令を記憶する、請求項１に記載のシステム。
【請求項３】
前記電流発生器が、電源と、前記介入要素に前記電気信号を供給するように構成された駆動回路とを備える、請求項１に記載のシステム。
【請求項４】
前記所定の期間が５分以下である、請求項１〜３のいずれか一項に記載のシステム。
【請求項５】
前記所定の期間が２分以下である、請求項４に記載のシステム。
【請求項６】
前記所定の期間にわたって前記電気信号を介して供給される総エネルギーが１２０〜２４，０００ｍＪである、請求項１〜３または５のいずれか一項に記載のシステム。
【請求項７】
前記所定の期間にわたって前記電気信号を介して供給される総エネルギーが１２０〜５０００ｍＪである、請求項１〜３または５のいずれか一項に記載のシステム。
【請求項８】
前記所定の期間にわたって前記電気信号を介して供給される総電荷が３０〜１２００ｍＣである、請求項１〜３または５のいずれか一項に記載のシステム。
【請求項９】
前記所定の期間にわたって前記電気信号を介して供給される総電荷が１２０〜１６０ｍＣである、請求項８に記載のシステム。
【請求項１０】
前記電気信号が非正方形波形を含む、請求項１〜３、５または９のいずれか一項に記載のシステム。
【請求項１１】
前記波形が、正方形波形および非正方形波形の重ね合わせを含む合成波形を含む、請求項１〜３、５または９のいずれか一項に記載のシステム。
【請求項１２】
前記非正方形波形が三角波形を含む、請求項１０に記載のシステム。
【請求項１３】
前記介入要素が導電性の自己拡張型装置を備える、請求項１〜３、５または９のいずれか一項に記載のシステム。
【請求項１４】
前記介入要素がステント回収部を備える、請求項１〜３、５または９のいずれか一項に記載のシステム。
【請求項１５】
医療装置送達システムであって、
細長シャフトの遠位端部に結合された医療装置であって、前記シャフトが第１の端子に電気的に結合されるように構成された医療装置と、
前記シャフトの少なくとも一部を取り囲む細長管状部材であって、第２の端子に電気的に結合されるように構成された管状部材と、
前記シャフトおよび前記管状部材を分離する第１の絶縁材料と、
前記管状部材の少なくとも一部を取り囲む第２の絶縁材料と、を備える、医療装置送達システム。
【請求項１６】
前記医療装置が前記シャフトと電気的に連通している、請求項１５に記載の医療装置送達システム。
【請求項１７】
前記第１の電気端子が正であり、前記第２の電気端子が負である、請求項１５に記載の医療装置送達システム。
【請求項１８】
前記管状部材の遠位部分の外面が前記第２の絶縁材料によって覆われていない、請求項１５に記載の医療装置送達システム。
【請求項１９】
前記医療装置が電解質媒体の存在下にありかつ電圧が前記第１および第２の電気端子に供給されるとき、電流が前記医療装置から前記管状部材に流れる、請求項１５に記載の医療装置送達システム。
【請求項２０】
前記医療装置の一部が非導電性材料によってコーティングされている、請求項１５に記載の医療装置送達システム。
【請求項２１】
血栓を除去するためのシステムであって、
請求項１〜３、５または９のいずれか一項に記載の医療装置送達システムと、
前記医療装置と電気的に連通している電流発生器であって、電気信号を前記医療装置に所定の期間供給するように構成された電流発生器と、を備え、
前記所定の期間にわたって前記電気信号を介して供給される総エネルギーが、０．７５〜２４，０００ｍＪであり、
前記電気信号を介して供給されるピーク電流が０．５〜５ｍＡである、システム。
【請求項２２】
前記所定の期間にわたって前記電気信号を介して供給される総エネルギーが１２０〜２４，０００ｍＪである、請求項２１に記載のシステム。
【請求項２３】
前記所定の期間にわたって前記電気信号を介して供給される総エネルギーが１２０〜５０００ｍＪである、請求項２１に記載のシステム。
【請求項２４】
前記所定の期間にわたって前記電気信号を介して供給される総電荷が３０〜１２００ｍＣである、請求項２１に記載のシステム。
【請求項２５】
前記所定の期間にわたって前記電気信号を介して供給される総電荷が１２０〜１６０ｍＣである、請求項２１に記載のシステム。